(57)【要約】【課題】  本発明の目的は、アプリケーションのダウンロード時及びアプリケーションの実行時における携帯装置内の単数又は複数のアプリケーションの認証方法を提供することである。この目的は、ネットワーク（ＮＥＴ）により制御サーバー（ＣＳＥ）に接続された装置（ＣＢ）内で動作する少なくとも１つのアプリケーション（ＡＰＰ）の認証方法において、前記装置（ＣＢ）が１つのセキュリティモジュール（ＳＩＭ）にローカルに接続され、前記アプリケーション（ＡＰＰ）が、装置（ＣＢ）のアプリケーションの実行環境（ＡＥＥ）を用いてロード及び／又は実行され、セキュリティモジュール（ＳＩＭ）内に格納されているリソース（ＲＥＳ）を利用する方法であって、制御サーバー（ＣＳＥ）が、少なくとも装置（ＣＢ）の識別子（ＩＭＥＩＳＶ）及びセキュリティモジュール（ＳＩＭ）の識別子（ＩＭＳＩ）を含むデータをネットワーク（ＮＥＴ）を経由して受信する予備工程と、制御サーバー（ＣＳＥ）が前記データを分析及び確認する予備工程と、アプリケーション（ＡＰＰ）のダイジェスト（ＦＩＮ１）、装置（ＣＢ）及びセキュリティモジュール（ＳＩＭ）を識別するデータ、及び前記モジュール宛の指示（ＩＮＳ＿ＲＥＳ）を含む暗号文（ＣＲＹ）を生成する予備工程と、ネットワーク（ＮＥＴ）及び装置（ＣＢ）を経由して前記暗号文（ＣＲＹ）をセキュリティモジュール（ＳＩＭ）に送信する予備工程と、受信した暗号文（ＣＲＹ）から抽出したダイジェスト（ＦＩＮ１）をセキュリティモジュール（ＳＩＭ）によって決められたダイジェスト（ＦＩＮ２）と比較することによりアプリケーション（ＡＰＰ）を確認する予備工程とを含み、セキュリティモジュール（ＳＩＭ）が、アプリケーション（ＡＰＰ）の初期化及び／又は有効化の際、暗号文（ＣＲＹ）から抽出された指示（ＩＮＳ＿ＲＥＳ）を実行し、予め行われたこのアプリケーション（ＡＰＰ）に固有な確認の結果に応じて、前記セキュリティモジュール（ＳＩＭ）のいくつかのリソース（ＲＥＳ）へのアクセスをそれぞれ許可又は阻止することを特徴とする方法により達成される。
2007519308.tif 000002
【特許請求の範囲】
【請求項１】
ネットワーク(NET)により制御サーバー(CSE)に接続された装置(CB)内で動作する少なくとも１つのアプリケーション(APP)の認証方法において、前記装置(CB)が１つのセキュリティモジュール(SIM)にローカルに接続され、前記アプリケーション(APP)が、装置(CB)のアプリケーションの実行環境(AEE)を用いてロード及び／又は実行され、セキュリティモジュール(SIM)内に格納されているリソース(RES)を利用する方法であって、
・  制御サーバー(CSE)が、少なくとも装置(CB)の識別子(IMEISV)及びセキュリティモジュール(SIM)の識別子(IMSI)を含むデータをネットワーク(NET)を経由して受信する予備工程と、
・  制御サーバー(CSE)が前記データを分析及び確認する予備工程と、
・  アプリケーション(APP)のダイジェスト(FIN1)、装置(CB)及びセキュリティモジュール(SIM)を識別するデータ、及び前記モジュール宛の指示(INS_RES)を含む暗号文(CRY)を生成する予備工程と、
・  ネットワーク(NET)及び装置(CB)を経由して前記暗号文(CRY)をセキュリティモジュール(SIM)に送信する予備工程と、
・  受信した暗号文(CRY)から抽出したダイジェスト(FIN1)をセキュリティモジュール(SIM)によって決められたダイジェスト(FIN2)と比較することによりアプリケーション(APP)を確認する予備工程と
を含み、セキュリティモジュール(SIM)が、アプリケーション(APP)の初期化及び／又は有効化の際、暗号文(CRY)から抽出された指示(INS_RES)を実行し、予め行われたこのアプリケーション(APP)に固有な確認の結果に応じて、前記セキュリティモジュール(SIM)のいくつかのリソース(RES)へのアクセスを許可又はロックすることを特徴とする方法。
【請求項２】
装置が携帯電話の携帯装置(CB)であることを特徴とする、請求項１記載の方法。
【請求項３】
ネットワーク(NET)がＧＳＭ、ＧＰＲＳ又はＵＭＴＳタイプの携帯電話ネットワークであることを特徴とする、請求項１記載の方法。
【請求項４】
セキュリティモジュール(SIM)がＳＩＭカードタイプの携帯電話の携帯装置(CB)に挿入される加入者モジュールであることを特徴とする、請求項１又は２記載の方法。
【請求項５】
携帯装置(CB)／加入者モジュール(SIM)ユニットの識別(ID)が、携帯装置(CB)の識別子(IMEISV)、並びにネットワーク(NET)の加入者に固有な加入者モジュール(SIM)の識別番号(IMSI)を基にして行われることを特徴とする、請求項１又は４記載の方法。
【請求項６】
セキュリティモジュール(SIM)によって受信される暗号文(CRY)に含まれる指示が、通信業者及び／又はアプリケーションプロバイダ(FA)及び／又は装置のユーザーによって予め決められた基準に従い、アプリケーション(APP)の使用を条件付けることを特徴とする、請求項１記載の方法。
【請求項７】
基準が、通信業者が考慮を所望するアプリケーション(APP)のソフトウェア又は装置(CB)のハードウェアに関連するリスクに従い前記アプリケーション(APP)の使用限度を定義することを特徴とする、請求項６記載の方法。
【請求項８】
暗号文(CRY)に対するアプリケーション(APP)の確認が、前記アプリケーション(APP)最初の起動時又は最初の使用時に行われることを特徴とする、請求項１記載の方法。
【請求項９】
暗号文(CRY)に対するアプリケーション(APP)の確認が、制御サーバー(CSE)からの指示に従って与えられるタイミングで周期的に実施されることを特徴とする、請求項１記載の方法。
【請求項１０】
暗号文(CRY)に対するアプリケーション(APP)の確認が、装置(CB)上での前記アプリケーション(APP)の毎回の起動時に行われることを特徴とする、請求項１記載の方法。
【請求項１１】
他のデータのうち特に、装置(CB)の識別子(IMEISV)、セキュリティモジュール(SIM)の識別子(IMSI)、アプリケーション(APP)の識別子、一方向性ハッシュ関数を用いて計算されたアプリケーション(APP)のダイジェスト(FIN1)、セキュリティモジュール(SIM)のリソースの識別子(RES_ID)、及びセキュリティモジュール(SIM)のリソース(RES)のロック／開放指示(INS_RES)を含むデータセットを基にして、対称又は非対称暗号鍵を用いて暗号文(CRY)が生成されることを特徴とする、請求項１記載の方法。
【請求項１２】
暗号文(CRY)が、同じ暗号文(CRY)の二重使用を防止するセキュリティモジュール(SIM)により予想可能な変数を含み、前記変数の値が、前記モジュールに格納され定期的に更新される基準値と比較することによって、セキュリティモジュール(SIM)により制御されることを特徴とする、請求項１１記載の方法。
【請求項１３】
セキュリティモジュール(SIM)がアプリケーション(APP)の暗号文(CRY)を受け入れた時又は拒否した時、前記セキュリティモジュール(SIM)が装置(CB)及びネットワーク(NET)を経由して確認メッセージ(CF)を制御サーバー(CSE)に送信することを特徴とする、請求項１記載の方法。
【請求項１４】
アプリケーション実行環境(AEE)を経由してアプリケーション(APP)が装置(CB)内にロードされるのと同時に、暗号文(CRY)がセキュリティモジュール(SIM)に送信されることを特徴とする、請求項１記載の方法。
【請求項１５】
いったんアプリケーション(APP)が制御サーバー(CSE)からネットワーク(NET)を経由して装置(CB)内にロードされると、その初期化時にサーバー(CSE)に対し暗号文(CRY)を要求し、前記暗号文(CRY)をセキュリティモジュール(SIM)に送信し、暗号文(CRY)の受入れ又は拒否の確認メッセージ(CF)がセキュリティモジュール(SIM)により、アプリケーション(APP)を経由してサーバーに送信されることを特徴とする、請求項１記載の方法。
【請求項１６】
装置が、セキュリティモジュールが接続された有料テレビデコーダ又はコンピュータであることを特徴とする、請求項１記載の方法。
【請求項１７】
ネットワーク(NET)に接続された携帯装置(CB)内にインストールされた少なくとも１つのアプリケーション(APP)によりローカルにアクセスされるようになっているリソース(RES)を含むセキュリティモジュールにおいて、前記装置(CB)が、少なくとも装置(CB)の識別子(IMEISV)及びセキュリティモジュール(SIM)の識別子(IMSI)を含むデータ読取り及び送信手段を備えるセキュリティモジュールであって、他のデータのうち特に前記アプリケーション(APP)のダイジェスト(FIN1)及び指示(INS_RES)を含む暗号文(CRY)の受信、保存及び分析手段と、前記アプリケーション(APP)の確認手段と、アプリケーション(APP)の確認の結果に従いいくつかのリソースを開放又はロックする暗号文(CRY)内に含まれる指示(INS_RES)の抽出及び実行手段とを備えることを特徴とするセキュリティモジュール。
【請求項１８】
携帯装置に接続されるようになっている「加入者モジュール」又は「ＳＩＭカード」タイプであることを特徴とする、請求項１７記載のセキュリティモジュール。
【発明の詳細な説明】
【技術分野】
【０００１】
本発明は、セルラーネットワークとも呼ばれる携帯電話ネットワークの分野に関する。より詳細には、本発明は、携帯電話の携帯装置に結合されたセキュリティモジュールにより実行されるアプリケーションのセキュリティの管理に関する。
【背景技術】
【０００２】
移動電話或いは携帯電話のセキュリティモジュールは、これらの電話のセキュリティの中心要素を構成する「ＳＩＭカード」（Ｓｕｂｓｃｒｉｂｅｒ  Ｉｄｅｎｔｉｔｙ  Ｍｏｄｕｌｅ）という名称で知られている。電話通信業者は、携帯電話ネットワークへの接続を所望する各加入者を確実かつユニークに識別するのに用いられるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ）と呼ばれる番号を、製造時及び／又はカスタマイズ段階の際、入力する。以下で携帯装置と呼ばれる各携帯電話は、携帯装置の不揮発性メモリー内に保存された番号により物理的に識別される。この番号はＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）と呼ばれ、携帯装置のタイプの識別と、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）型、ＧＰＲＳ（Ｇｅｎｅｒａｌ  Ｐａｃｋｅｔ  Ｒａｄｉｏ  Ｓｙｓｔｅｍ）型、又はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）型ネットワーク上の所与の携帯装置をユニークに識別するのに用いられるシリアル番号とを含む。更に携帯装置は、携帯装置上にインストールされた基本ソフトウェアの更新状態を示すソフトウェアバージョンＳＶＮ（Ｓｏｆｔｗａｒｅ  Ｖｅｒｓｉｏｎ  Ｎｕｍｂｅｒ）を特徴とする。タイプの識別及び携帯装置のシリアル暗号をソフトウェアバージョン（ＳＶＮ）と組み合わせることにより、ＩＭＥＩＳＶ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ  ａｎｄ  Ｓｏｆｔｗａｒｅ  Ｖｅｒｓｉｏｎ  Ｎｕｍｂｅｒ）と呼ばれる新しい識別が与えられる。同じ識別の概念は、ＷＬＡＮ（無線ＬＡＮ）又は双方向ＴＶケーブルにも適用される。物理的識別子は、ＩＰ（Ｉｎｔｅｒｎｅｔ  Ｐｒｏｔｏｃｏｌ）ネット上のユーザーの機材の構成を識別するユニークアドレスに相当するＭＡＣ（Ｍｅｄｉａ  Ａｃｃｅｓｓ  Ｃｏｎｔｒｏｌ）とすることができ、ソフトウェアバージョンはＩＰに基づく上位レイヤープロトコルにより送信することができる。
【０００３】
ＥＴＳＩ規格（「Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ」）は、携帯装置（ＭＥ、Ｍｏｂｉｌｅ  Ｅｑｕｉｐｍｅｎｔ）及び加入者モジュール（ＳＩＭ、Ｓｕｂｓｃｒｉｂｅｒ  Ｉｄｅｎｔｉｔｙ  Ｍｏｄｕｌｅ）で構成される移動局（ＭＳ、Ｍｏｂｉｌｅ  Ｓｔａｔｉｏｎ）を定義する。通常、この加入者モジュールは取外し可能、即ち、引き抜いたり、ある携帯装置から別の携帯装置に移動したりすることができる。
【０００４】
携帯装置の始動時、より詳細には携帯装置を通信業者のネットワークに接続する際、携帯装置と、携帯装置の使用を許可する又はしない通信業者管理センターとの間で、識別データを含む情報がやりとりされる。現在、携帯装置は、携帯電話ネットワークへのアクセスを介して電話によって会話を確立するという通常の機能の他、種々の情報についての問い合せ、遠隔銀行取引、Ｅコマース、マルチメディアコンテンツへのアクセス等、多くの付加価値サービスの利用をユーザーに提供している。これらの先進的サービスは、携帯装置上に現れることがあるセキュリティの不具合を利用しようとする第三者により万一の場合に引き起こされる不正からユーザーを守るために、より高いセキュリティレベルを必要とする。
【０００５】
従って、少なくとも２つのレベル、即ち携帯装置そのもののレベルと、通信業者又は第三者から提案される各種サービスの稼動を可能にするソフトウェアアプリケーションのレベルでの確認が必要になる。通常、これらのアプリケーションはアプリケーションのプロバイダのサーバーからダウンロードされるが、それは即ちこのダウンロードを確認する必要があるということである。従って、加入者モジュールが、一旦それが挿入された携帯装置とともに作動することができると制御サーバーに認められた後は、このモジュールは許可されたアプリケーションにしか情報を供給しないことを保証することが必要となる。
【０００６】
加入者モジュールは、銀行口座番号又はパスワード等の機密情報を含むことができる。携帯装置上で作動する１つのアプリケーションが、期待されるサービスを提供するためにこれらの個人データの利用を担当する。しかしながらアプリケーションはこれらの個人データを当該アプリケーションのプロバイダとの対話以外の使用目的に転用するおそれがある。その結果、加入者モジュールの所有者にとって大きな損害が生じることがある。
【０００７】
携帯装置内で実行されるこれらのアプリケーションは加入者モジュール内で利用可能なリソースを使用する。リソースとは、アプリケーションの良好な作動に必要な種々の機能及びデータを意味する。これらのデータのうちには、特にセキュリティに関する機能等、複数のアプリケーションに共通である場合がある。こうして加入者モジュールは、通信業者及び／又はアプリケーションプロバイダによって設定されたセキュリティ条件が当該携帯装置内で守られていないか、又は携帯装置のユーザーの権利が不十分であるようないくつかのアプリケーションの動作をロック又は変更することができる。
【０００８】
ＦＲ２８３１３６２（特許文献１）は、ＳＩＭカードを具備する携帯電話とアプリケーションサーバーとの間のセキュア化されたトランザクション方法について記述している。この方法の目的は、ＳＩＭカードを用いてサーバーからダウンロードされるアプリケーションの使用に関する権利を保護することである。
【０００９】
この方法によれば、まず公開鍵のセキュア化された交換により、サーバーとＳＩＭカードとの間に信頼性のリンクが確立され、次に、携帯装置により要求ファイルがサーバーに送信されることにより、アプリケーションの購入が行われる。サーバーはアプリケーションを部分的又は全面的に暗号化し、暗号化鍵とコマンドとで形成される暗号文を携帯装置に送信するが、この全体はＳＩＭカードによって既知の公開鍵で暗号化されている。携帯装置による受信時、この暗号文は復号化され、鍵はＳＩＭカードに格納される。コマンドを実行することにより、サーバーによって部分的又は全面的に暗号化されたアプリケーションが携帯装置内にダウンロードされる。アプリケーションは一旦ダウンロードされると、ＳＩＭカードに格納されている鍵により復号化される携帯装置にインストールされる。
【００１０】
この方法によれば、トランザクションの前に携帯装置とサーバーの間に最初に確立された信頼リンクにより、携帯装置内でアプリケーションを使用する権利が保護される。ここでは、サーバーが果たす役割はどちらかというと携帯装置内におけるアプリケーションユーザーの権利の管理、即ちＤＲＭ（Ｄｉｇｉｔａｌ  Ｒｉｇｈｔｓ  Ｍａｎａｇｅｍｅｎｔ）の管理内に集中される。以下に説明する解決方法は、どちらかというと、あるアプリケーションに関連する通信業者、アプリケーションプロバイダ又はユーザーが考慮するリスクの管理（Ｒｉｓｋ  Ｍａｎａｇｅｍｅｎｔ）を志向するものである。
【特許文献１】ＦＲ２８３１３６２
【発明の開示】
【発明が解決しようとする課題】
【００１１】
従って本発明の目的は、アプリケーションのダウンロード時及びアプリケーションの実行時における携帯装置内の単数又は複数のアプリケーションの認証方法を提供することである。これは、いくつかのセキュリティ基準を満たしていないアプリケーション、或いは予め決められたいくつかのセキュリティ基準を満たしていない携帯装置により加入者モジュールが不適切に使用されることに由来するリスクを制限することである。
【００１２】
別の目的は、許可されていないアプリケーションを使用することの結果として生じる不正使用から携帯装置のユーザー並びに関連するアプリケーションプロバイダを保護することである。
【課題を解決するための手段】
【００１３】
これらの目的は、ネットワークにより制御サーバーに接続された装置内で動作する少なくとも１つのアプリケーションの認証方法において、前記装置が１つのセキュリティモジュールにローカルに接続され、前記アプリケーションが、装置のアプリケーションの実行環境を用いてロード及び／又は実行され、セキュリティモジュール内に格納されているリソースを利用する方法であって、
・  制御サーバーが、少なくとも装置の識別子及びセキュリティモジュールの識別子を含むデータをネットワークを経由して受信する予備工程と、
・  制御サーバーが前記データを分析及び確認する予備工程と、
・  アプリケーションのダイジェスト、装置及びセキュリティモジュールを識別するデータ、及び前記モジュール宛の指示を含む暗号文を生成する予備工程と、
・  ネットワーク及び装置を経由して前記暗号文をセキュリティモジュールに送信する予備工程と、
・  受信した暗号文から抽出したダイジェストをセキュリティモジュールによって決められたダイジェストと比較することによりアプリケーションを確認する予備工程と
を含み、セキュリティモジュールが、アプリケーションの初期化及び／又は有効化の際、暗号文から抽出された指示を実行し、予め行われたこのアプリケーションに固有な確認の結果に応じて、前記セキュリティモジュールのいくつかのリソースへのアクセスを許可又はロックすることを特徴とする方法により達成される。
【００１４】
セキュリティモジュールのリソースは集中的にロック又は開放されるが、これはいくつかのアプリケーションを使用可能又は使用不可にすることを目的とする。携帯装置のアプリケーションを直接ロック又は開放するのではなく、間接的にアプリケーションに働きかける。即ち、携帯装置がこれらのアプリケーションの実行を試みる時のみロック又は開放の効果が現れる。
【００１５】
この方法は好ましくは携帯電話ネットワークに適用される。その結果、装置は、例えば携帯電話装置であり、セキュリティモジュールは加入者モジュール又はＳＩＭカードである。このユニットは、通信業者の制御サーバーによって管理されるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）型、ＧＰＲＳ（Ｇｅｎｅｒａｌ  Ｐａｃｋｅｔ  Ｒａｄｉｏ  Ｓｙｓｔｅｍ）型、又はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）型といった携帯電話ネットワークに接続される。ソフトウェアアプリケーションは携帯装置内にインストールされ、加入者モジュール内に存在するリソース（データ又は機能）を利用するよう構成される。従ってリソースは、通信業者及び／又はアプリケーションプロバイダによりあらかじめ設定された基準に従ってセキュリティ条件が満たされた場合しかその全体を利用することができない。この基準の確認は制御サーバーが担当する。アプリケーションは、制御サーバーから送信される指示を受けた後は、最終的にセキュリティモジュールの担当となり、セキュリティモジュールは、携帯装置内にインストールされたアプリケーションが良好に作動するのに必要なリソースへのアクセスを自由なままにするかロックする。
【００１６】
これらのリソースのデータは、口座番号、プログラム（携帯装置内にインストールすることができるコードの形態の）プログラム、暗号化／復号化鍵、コンテンツへのアクセス権等の情報を含むことができる。
【００１７】
これらのリソースの機能は、暗号化アルゴリズム、確認プロセス、デジタル署名生成プロセス、暗号化プロセス、認証プロセス、データバリデーションプロセス、アクセスチェックプロセス、データ保存プロセス、支払いプロセス等を含むことができる。
【００１８】
本発明による方法は、ネットワークに接続された携帯装置上のアプリケーションの使用を条件付ける暗号文をアプリケーションに関連付けることに基づく。
【００１９】
フランス特許ＦＲ２８３１３６２号に記述されている方法とは異なり、携帯装置へのダウンロードの前にアプリケーションの一部又は全体を暗号化する必要はない。実際、本発明の方法によれば、サーバーとセキュリティモジュール（又は加入者モジュール）の間の結合は、そのリソースを最良な方法で管理し、携帯装置内で実行されるアプリケーションに対しリソースを使用するか否かを決定するのに用いられる。引用文献の方法では、サーバーから受信したコマンドにより携帯装置内にインストールされたアプリケーションの使用を制御することができるが、本方法では、コマンドによりセキュリティモジュールのリソースを有効又は無効にすることができる。
【００２０】
例えばリソースが無効になると、アプリケーションは、ユーザーに提供される可能性が少なくなる「最小」モードで作動することになる。一実施例では、サービスの購入について許可される最高金額がこの減少の対象となるほか、ある所定の場所（ショッピングセンター、スタジアム、駅、空港等）でしかこれらのサービスが得られないことがある。
【００２１】
第一の実施例では、アプリケーションのロード中に暗号文が加入者モジュールに送信される。第二の実施例では、アプリケーションの初回の使用時に制御サーバーに暗号を探しに行くのはアプリケーションである。
【００２２】
本発明による認証方法は携帯装置によるアプリケーションの実行にも適用され、それにより、加入者モジュールを併用して、このアプリケーションの前記モジュール内に含まれているいくつかのリソース（データ又は機能）へのアクセスが許可されていることを確認することが可能である。特に、加入者モジュールは、アプリケーションに付加された暗号文を、前記アプリケーションの実行中、定期的に確認することができる。
【００２３】
例えば、あるユーザーの加入者モジュールを別の携帯装置内に挿入すると、従来の電話通信の確立を妨げることなく、いくつかのアプリケーションの動作が影響を受ける。このバリアはある意味、許可されていない携帯装置、更には通信業者又はパートナーアプリケーションプロバイダによって認証されていないソースからのアプリケーションを排除するフィルターのように働く。
【００２４】
第三者によるアプリケーションの変更もまた加入者モジュールにより検出され、加入者モジュールは、アプリケーションの実行の阻止又は制限につながるいくつかの受信したコマンドの実行を拒否する。
【００２５】
従って制御サーバーは、携帯装置／加入者モジュールユニットに関する信頼性又はセキュリティ要素を管理することにより重要な役割を果たしている。制御サーバーは、加入者モジュール内に保存されているリソース（データ又は機能）によりアプリケーションの使用を制御又は制限するために、携帯装置から制御サーバーに送信されるデータを解釈する。
【００２６】
携帯装置及びその加入者モジュールの識別情報を受信し、識別子ＩＭＥＩＳＶ及びＩＭＳＩを含むサーバーは、携帯装置内で実行されるアプリケーションにより利用できる加入者モジュールのリソースを定義する新しい保護プロフィールを再度定義するために新しい指示を加入者モジュールに送るべきかどうかをいくつかの基準により決定する。その基準は、例えば携帯装置にインストールされたソフトウェアのバージョンの更新、携帯装置への新しいアプリケーションのダウンロード、保護プロフィールの更新期間、ネットワークへの接続数、ネットワークへのアクセスに使用される技術、使用するアクセスネットワークの識別を参照することができる。その基準は、通信業者及び／又はアプリケーションのプロバイダ及び／又は携帯装置のユーザーが考慮しようとする使用ハードウェア又はソフトウェアに付随する様々なリスクにも関する。
【００２７】
暗号文の確認は、初回の起動時又はアプリケーションの初回の使用時、或いはアプリケーションの毎回の起動時に行うことができる。
【００２８】
変形形態によれば、この確認は制御サーバーからの指示によって与えられるタイミングで周期的に実行することができる。
【００２９】
アプリケーションを携帯装置にロードする際、アプリケーションに添付される関連する暗号文は通常、アプリケーションそのもののダイジェスト、即ち一方向性ハッシュ数学関数を用いてアプリケーションのコードから計算されたデータブロックを含む。
【００３０】
加入者モジュールは、暗号文の有効性を確認する時、間接的に携帯装置の識別も行い、データが実際に制御サーバーから送られてきているものであることも確認する。言い換えれば、制御サーバーは、この暗号文により、携帯装置のソフトウェアの種類及びバージョンが考慮されたこと、アプリケーションのロードが制御されたこと、及びアプリケーションが本物であるとの保証を加入者モジュールに暗に知らせる。加入者モジュールは、あらかじめ受信した指示に従い、アプリケーションから来た要求又はコマンドを許可するか拒否するかを決定する。
【００３１】
携帯装置はこの確認段階においては、加入者モジュールと制御サーバーとの間にほぼ直接的な対話を確立することによりリレーの役割を果たす。従って、携帯装置のアプリケーションの実行環境を通じて、制御サーバーと加入者モジュールとの間で、やりとりされるメッセージのセキュリティが端末相互間で確保される。従って携帯装置が加入者モジュールに対しデータを「ごまかす」又は変更することはあり得ない。
【００３２】
本発明は、ネットワークに接続された携帯装置内にインストールされた少なくとも１つのアプリケーションによりローカルにアクセスされるようになっているリソースを含むセキュリティモジュールにおいて、前記装置が、少なくとも装置の識別子及びセキュリティモジュールの識別子を含むデータ読取り及び送信手段を備えるセキュリティモジュールであって、他のデータのうち特に前記アプリケーションのダイジェスト及び指示を含む暗号文の受信、保存及び分析手段と、前記アプリケーションの確認手段と、アプリケーションの確認の結果に従いいくつかのリソースを開放又はロックする暗号内に含まれる指示の抽出及び実行手段とを備えることを特徴とするセキュリティモジュールにも関する。
【００３３】
このセキュリティモジュールは、携帯装置に接続された例えば加入者モジュール又はＳＩＭカードとして使用される。
【発明を実施するための最良の形態】
【００３４】
本発明は、専ら非限定的例として示した添付の図面を参照して行う以下の詳細な説明により、よりよく理解されよう。
【００３５】
図１ａ、図１ｂ、図１ｃ、図２ａ、図２ｂ、図２ｃ、図３ａ、図３ｂ、図３ｃのブロック線図は、通信業者に管理されている制御サーバー（ＣＳＥ）に携帯ネットワーク（ＮＥＴ）を経由して接続されたリソース（ＲＥＳ）を含む携帯装置（ＣＢ）加入者モジュール（ＳＩＭ）ユニットを示している。このサーバー（ＣＳＥ）は単数又は複数のアプリケーションプロバイダ（ＦＡ）に接続されている。
【００３６】
携帯装置（ＣＢ）は、実行環境（ＡＥＥ）下で動作する単数又は複数のソフトウェアアプリケーション（ＡＰＰ）を含む。これらのアプリケーション（ＡＰＰ）は、通信業者の制御サーバー（ＣＳＥ）に関連するアプリケーションプロバイダ（ＦＡ）に由来するものか、もともと携帯装置（ＣＢ）の製造者によりプログラムされる可能性のあるものである。後者の場合、更新をダウンロードする必要がある場合があり、これは同じく加入者モジュール（ＳＩＭ）により確認される。
【００３７】
図１ａ、図１ｂ、図１ｃに示す第一の実施形態によれば、アプリケーション（ＡＰＰ）の暗号は（ＣＲＹ）は、アプリケーション（ＡＰＰ）のインストールプロセスの際、アプリケーション実行環境（ＡＥＥ）を通して加入者モジュール（ＳＩＭ）に送られる。
【００３８】
図１ａは、携帯装置（ＣＢ）がまず、制御サーバー（ＣＳＥ）が確認する加入者モジュール（ＳＩＭ）の識別（ＩＤ）に用いるデータを送信するインストールプロセスを示す図である。この識別（ＩＤ）は加入者モジュール（ＳＩＭ）の識別子（ＩＭＳＩ）及び携帯装置（ＣＢ）のユニーク識別子（ＩＭＥＩＳＶ）から行われる。次にサーバー（ＣＳＥ）からアプリケーション（ＡＰＰ）が暗号文（ＣＲＹ）を伴ってダウンロードされ、この暗号は、図１ｂに図示するような確認を行うために、実行環境（ＡＥＥ）を経由して加入者モジュール（ＳＩＭ）に送信される。
【００３９】
プロバイダ（ＦＡ）は、信頼するのにふさわしい、即ちアプリケーション（ＡＰＰ）が認証され、ユーザー及び／又は通信業者にとって有害なことを引き起こさずに作動する、とみなしていることに留意すべきである。
【００４０】
本発明による方法は、様々な種類の実行環境（ＡＥＥ）で実行される様々な種類の形態のアプリケーション（ＡＰＰ）に適用される。例えば、プロセッサー及び環境の役割を果たすＪａｖａ(登録商標)仮想マシン（ＶＭ）により実行されるＪａｖａ(登録商標)アプリケーションから生まれた機能を有する携帯電話は多い。 以下の記述はＪａｖａ(登録商標)アプリケーションの例に基づく。アプリケーションの媒体として、もちろん、Ｓｙｍｂｉａｎ  ＯＳ、Ｗｉｎｄｏｗｓ(登録商標)、Ｐａｌｍ  ＯＳ、Ｌｉｎｕｘ等、他の環境又はオペレーティングシステムも使用することができる。
【００４１】
図１ｃを参照すると、Ｊａｖａ(登録商標)アプリケーションはその実行時、加入者モジュール（ＳＩＭ）を要求し、実行環境（ＡＥＥ）に要求又はコマンド（ＣＭＤ）を送ることにより、要求していることを知らせる。実行環境（ＡＥＥ）はアプリケーション（ＡＰＰ）のダイジェスト（ＦＩＮ２）を計算し、ダイジェストを加入者モジュール（ＳＩＭ）に送る。制御サーバー（ＣＳＥ）により生成され、次にアプリケーション（ＡＰＰ）とともに（或いは別々に）携帯装置（ＣＢ）内にロードされた暗号文（ＣＲＹ）は、加入者モジュール（ＳＩＭ）内に保存される。加入者モジュールは、アプリケーション（ＡＰＰ）の要求又はコマンド（ＣＭＤ）に応答しなければならないかどうかを決定することが可能になるのに必要なデータを持っているかどうかをまず確認する。これらのデータはアプリケーション（ＡＰＰ）のロード時に制御サーバー（ＣＳＥ）からロードされる権利の代用となるものであり、これらのデータによりアプリケーション（ＡＰＰ）の動作を確認することができる。これらの権利がない場合、アプリケーション（ＡＰＰ）は、加入者モジュール（ＳＩＭ）のリソース（ＲＥＳ）（データ又は機能）を利用することができない。
【００４２】
これらの権利が存在する場合、加入者モジュール（ＳＩＭ）は、保存された暗号文（ＣＲＹ）を由来とするダイジェスト（ＦＩＮ１）を、アプリケーション（ＡＰＰ）に関連付けられ実行環境（ＡＥＥ）によって提供されたダイジェスト（ＦＩＮ２）と比較することにより、前者のダイジェストを確認する。この暗号文（ＣＲＹ）はＲＳＡ（Ｒｉｖｅｓｔ、Ｓｈａｍｉｒ、Ａｄｅｌｍａｎ）型のプライベート鍵により暗号化されたブロックの形態をとることができる。図４に示すこのブロックは、他のデータのうち特に、加入者モジュール（ＳＩＭ）の識別子ＩＭＳＩ（ＩＤ＿ＳＩＭ）、携帯装置（ＣＢ）の識別子ＩＭＥＩＳＶ（ＩＤ＿ＣＢ）、アプリケーションの識別子（ＩＤ＿ＡＰＰ）、アプリケーション（ＡＰＰ）のダイジェスト（ＦＩＮ１）、リソース（ＲＥＳ）の識別子ＳＩＭ（ＲＥＳ＿ＩＤ）、及びリソースＳＩＭのロック／開放指示（ＩＮＳ＿ＲＥＳ）を含む。このプライベート鍵は制御サーバー（ＣＳＥ）にしか認識されないが、その公開部分は加入者モジュール（ＳＩＭ）から認識される。非対称鍵を使用することの利点は、署名を生成するのに用いられる鍵が制御サーバー（ＣＳＥ）の外部にないことにある。
【００４３】
もちろん、ＲＳＡに代わるものとして、例えばＤＳＡ（Ｄｉｇｉｔａｌ  Ｓｉｇｎａｔｕｒｅ  Ａｌｇｏｒｉｔｈｍ）及びＥＣＣ（Ｅｌｌｉｐｔｉｃ  Ｃｕｒｖｅ  Ｃｒｙｐｔｏｇｒａｐｈｙ）等、その他の非対称鍵アルゴリズムを使用することができる。
【００４４】
確認の簡便性及び速さ、製造コスト及び使用コストの低さの理由から、対称鍵アルゴリズムの使用が好ましいことがある。この場合、鍵はサーバー（ＣＳＥ）及び加入者モジュール（ＳＩＭ）から認識されることになり、ブロック（ＩＭＳＩ、ＩＭＥＩＳＶ、アプリケーションの識別子、アプリケーションのダイジェスト、リソースＳＩＭの識別子、リソースＳＩＭのロック／開放指示）に署名するのに、例えばＩＤＥＡ（Ｉｎｔｅｒｎａｔｉｏｎａｌ  Ｄａｔａ  Ｅｎｃｒｙｐｔｉｏｎ  Ａｌｇｏｒｉｔｈｍ）アルゴリズムを使用することができよう。ＩＤＥＡアルゴリズムに代るものとしては、例えばＴＤＥＳ（Ｔｒｉｐｌｅ  Ｄａｔａ  Ｅｎｃｒｙｐｔｉｏｎ  Ｓｔａｎｄａｒｄ）及びＡＥＳ（Ａｄｖａｎｃｅｄ  Ｅｎｃｒｙｐｔｉｏｎ  Ｓｔａｎｄａｒｄ）も使用することができる。
【００４５】
非対称鍵及び対称鍵方式のこれら２つの変形形態においては、加入者モジュール（ＳＩＭ）は、暗号文（ＣＲＹ）に現れる様々なフィールドの一致を確認し、特に、加入者モジュールのリソース（ＲＥＳ）（データ又は機能）を使用することを許可された又はされていないアプリケーションの識別子（ＩＤ＿ＡＰＰ）及びアプリケーションのダイジェスト（ＦＩＮ１）を調べる。
【００４６】
一変形形態では、暗号文（ＣＲＹ）は、加入者モジュール（ＳＩＭ）に宛てられた同一暗号文の二重使用を防止するのに用いるカウンタを含むことができる（リプレイアタック）。つまり同じ種類の２つのアプリケーションが同じ識別子を有し、同じダイジェスト（ＦＩＮ１）をもつことができる。この場合、加入者モジュール（ＳＩＭ）は、モジュールに格納され定期的に更新される基準カウンタの値との比較によりこのカウンタの値も確認する。
【００４７】
カウンタに対する変形形態は、加入者モジュール（ＳＩＭ）によって生成される確率変数（乱数）を使用することである。この確率変数は制御サーバー（ＣＳＥ）に送られるデータとともに送信される。制御サーバーはこの確率変数を応答暗号文に返し、加入者モジュール（ＳＩＭ）はこれが新しいメッセージであることを確認することができる。
【００４８】
より一般的には、古い暗号文（ＣＲＹ）が使用されるリスクを防止するために、古い暗号文は、加入者モジュール（ＳＩＭ）によって予知が可能な変数、即ちカウンタ又は確率変数を含む。
【００４９】
別の変形形態においては、ＲＳＡ又はＩＤＥＡ型の鍵を使用して生成した暗号文（ＣＲＹ）を、（ＩＭＳＩ、ＩＭＥＩＳＶ、アプリケーションの識別子、アプリケーションのダイジェスト、リソースＳＩＭの識別子、リソースＳＩＭのロック／開放指示）という集合を基にして共有鍵ＨＭＡＣ（Ｋｅｙｅｄ−Ｈａｓｈｉｎｇ  ｆｏｒ  Ｍｅｓｓａｇｅ  Ａｕｔｈｅｎｔｉｃａｔｉｏｎ）を使用して生成したブロックに置き換えることができる。ＨＭＡＣとは、ＭＤ５（Ｍｅｓｓａｇｅ  Ｄｉｇｅｓｔ）又はＳＨＡ−１（Ｓｅｃｕｒｅ  Ｈａｓｈ  Ａｌｇｏｒｉｔｈｍ）等の暗号化ハッシュ関数を使用することによるメッセージの認証機構であり、共有鍵と組み合わせて使用する。
【００５０】
制御サーバー（ＣＳＥ）及び加入者モジュール（ＳＩＭ）内にあるこの鍵は、加入者モジュール（ＳＩＭ）のカスタム化時、或いは加入者モジュール（ＳＩＭ）内にいくつかのリソース（ＲＥＳ）をインストールする際にロードすることができる。任意選択として、加入者モジュール（ＳＩＭ）の各リソース（ＲＥＳ）又は各リソースグループは、異なる鍵に関連付けられ、また鍵はリソース（ＲＥＳ）全体に対しグローバルであって、ある所与の加入者モジュール（ＳＩＭ）に対しユニークであるようにすることもできる。
【００５１】
従って暗号文（ＣＲＹ）により加入者モジュール（ＳＩＭ）は、対応する携帯装置（ＣＢ）に関して加入者モジュール（ＳＩＭ）内で開放又はロックすることができる単数又は複数のリソース（ＲＥＳ）を知ることができる。
【００５２】
使用される２つのダイジェスト（それぞれＦＩＮ１、ＦＩＮ２）は、携帯装置（ＣＢ）及び加入者モジュール（ＳＩＭ）によるアプリケーション（ＡＰＰ）の暗号確認手段を構成するため、決定的な要素である。そのような確認は、第三者のアプリケーションが、ある所与の暗号文（ＣＲＹ）で認証されることを防ぐために必要である。実際、例えば暗号文Ａが携帯装置Ａ内の加入者モジュールＡからアプリケーションＡを認証する場合、別のアプリケーションＢが携帯装置Ａ内の加入者モジュールＡから同じ暗号文Ａで不正に認証されることを避けなければならない。
【００５３】
変形形態によれば、暗号文（ＣＲＹ）に含まれるアプリケーションのダイジェスト（ＦＩＮ１）は、制御サーバー（ＣＳＥ）と加入者モジュール（ＳＩＭ）の間で端末相互間で機密状態のままである。これを行うために、ダイジェスト（ＦＩＮ１）は制御サーバー（ＣＳＥ）により暗号化され、加入者モジュール（ＳＩＭ）により復号化される。更に、暗号文（ＣＲＹ）に含まれるダイジェスト（ＦＩＮ１）及び実行環境（ＡＥＥ）により計算されるアプリケーション（ＡＰＰ）のダイジェスト（ＦＩＮ２）が同一であるが、携帯装置（ＣＢ）の識別に依存するよう、ある所与のロードについてアプリケーション（ＡＰＰ）をカスタム化することができる。この種の方法は、第三者のアプリケーションが、加入者モジュール（ＳＩＭ）とのインタフェースが損なわれるような別のアプリケーションの実行環境（ＡＥＥ）の所与のダイジェストで認証されるのを防止したければ、必要である。実際、例えばダイジェストＡが携帯装置Ａ内の加入者モジュールＡでアプリケーションＡを認証する場合、別のアプリケーションＢが携帯装置Ｂ内の加入者モジュールＢからこの同じダイジェストＡであると認証されることを避けなければならない。
【００５４】
別の変形形態によれば、（Ｊａｖａ(登録商標)タイプの）各アプリケーションには２つの暗号文が添付される：１つは仮想マシン（ＶＭ）向けのＪａｖａ(登録商標)暗号文であり、もう１つは加入者モジュール（ＳＩＭ）向けの暗号文（ＣＲＹ）である。これら２つの暗号文は特に、Ｊａｖａ(登録商標)アプリケーションのコードのダイジェストである同じアプリケーションダイジェスト（ここではＦＩＮ２と呼ばれる）を含む。従って加入者モジュール（ＳＩＭ）があるアプリケーションの暗号文（ＣＲＹ）を確認しなければならない時、同モジュールは、対象となっているアプリケーション（ＡＰＰ）に関連付けられたダイジェスト（ＦＩＮ２）を仮想マシン（ＶＭ）から待つが、ダイジェストは仮想マシンが必ず予め計算しておく。アプリケーションのダイジェストは携帯装置（ＣＢ）により加入者モジュール（ＳＩＭ）に送信される。このダイジェストは制御サーバーから出されるものではなく、アプリケーション（ＡＰＰ）のダウンロード後、携帯装置（ＣＢ）のアプリケーション実行環境（ＡＥＥ）により計算される。反対に携帯装置（ＣＢ）は、アプリケーションの他に予めロードされる暗号文（ＣＲＹ）を制御サーバーから加入者モジュールに送信する。従って加入者もジュールは、受信したダイジェストを比較により確認することができる。携帯装置（ＣＢ）は、加入者モジュール（ＳＩＭ）が待ち受けるダイジェストを知らない限り、ごまかすことはできない。場合によっては、そのために、通常はハッシュ関数であるダイジェストの計算機能を反転可能にするか、同じ暗号文（ＣＲＹ）をもたらす別のダイジェストを見つける必要が生じるが、これはほぼ不可能である。
【００５５】
図１ｂは暗号文（ＣＲＹ）の確認プロセスを示すが、これは例えば当該アプリケーション（ＡＰＰ）を要求する度毎に定期的に行うか、或いはアプリケーションのインストールの前又は初回使用の前に行うことができるのが好ましい。暗号文（ＣＲＹ）が有効である場合、加入者モジュール（ＳＩＭ）は承諾メッセージ（ＯＫ）を実行環境（ＡＥＥ）に送信する。するとアプリケーション（ＡＰＰ）は実行環境（ＡＥＥ）を経由してその要求又はコマンド（ＣＭＤ）を加入者モジュール（ＳＩＭ）に送り、加入者モジュール（ＳＩＭ）のリソース（ＲＥＳ）を使用することができる。図１ｃのように、加入者モジュールは実行環境（ＡＥＥ）を経由して適切な応答（ＲＳＰ）をアプリケーション（ＡＰＰ）に送信することによりコマンド（ＣＭＤ）を承認する。
【００５６】
暗号文（ＣＲＹ）が有効でない場合、加入者モジュール（ＳＩＭ）は拒否メッセージ（ＮＯＫ）を実行環境（ＡＥＥ）に送信する。そのような場合には、実行環境（ＡＥＥ）がアプリケーション（ＡＰＰ）のインストールプロセスをキャンセルすることができるというのが１つのケースであり、アプリケーション（ＡＰＰ）がインストールされ、実行環境（ＡＥＥ）を経由して加入者モジュール（ＳＩＭ）に送信された要求又はコマンド（ＣＭＤ）が応答（ＲＳＰ）がないままの状態になり、加入者モジュール（ＳＩＭ）のリソース（ＲＥＳ）が使用できないというのがもう一方のケースである。
【００５７】
承諾及び拒否（ＯＫ及びＮＯＫ）という両者の場合とも、アプリケーション実行環境（ＡＥＥ）は制御サーバー（ＣＳＥ）への応答を中継することができる。従って加入者モジュールは、暗号文（ＣＲＹ）の受信確認（ＣＦ）を間接的に制御サーバー（ＣＳＥ）に送り、図１ｂに示すように、操作の端末相互間の制御を行うことができる。確認（ＣＦ）は、操作の成否についての少なくとも１つのコード、並びにリプレイアタックに対する保護に使用するカウンタを含む。このメッセージにより制御サーバー（ＣＳＥ）は、加入者モジュール（ＳＩＭ）に関連付けられたカウンタを更新することもできる。
【００５８】
図２ａ、図２ｂ、図２ｃに示す第二の実施形態によれば、図２ａに示すように、携帯装置（ＣＢ）の識別（ＩＤ）後、暗号文（ＣＲＹ）なしにアプリケーション（ＡＰＰ）だけがダウンロードされる。
【００５９】
図２ｂに示す確認プロセスの際、アプリケーション（ＡＰＰ）は、ユーザーにより起動される時、前記アプリケーションについてのリソース（ＲＥＳ）の使用権を含む暗号（ＣＲＹ）を要求する。この暗号文（ＣＲＹ）はアプリケーション（ＡＰＰ）により制御サーバー（ＣＳＥ）から直接ダウンロードされ、アプリケーションは実行環境（ＡＥＥ）を経由して暗号文を加入者モジュール（ＳＩＭ）に送信する。加入者モジュール（ＳＩＭ）は、第一実施形態の場合のように実行環境（ＡＥＥ）を経由してではなく、アプリケーション（ＡＰＰ）を介して、暗号文（ＣＲＹ）の受信確認（ＣＦ）をサーバー（ＣＳＥ）に送信する。このモードでは、実行環境（ＡＥＥ）はアプリケーション（ＡＰＰ）と加入者モジュール（ＳＩＭ）の間の中継の役割しか果たさない。
【００６０】
図２ｃに示すような暗号文（ＣＲＹ）の確認後のアプリケーション（ＡＰＰ）の実行プロセスは、上述した図１ｃに示した第一形態と同じようにして行われる。
【００６１】
図３ａ、図３ｂ、図３ｃは、携帯装置（ＣＢ）の識別（ＩＤ）後、制御サーバー（ＣＳＥ）から、或いは図３ａのようなアプリケーション（ＡＰＰ）の中間ダウンロードサーバーからアプリケーション（ＡＰＰ）だけがダウンロードされる第三の変形形態を示す。確認プロセス（図３ｂ）の際、アプリケーションはサーバー（ＣＳＥ）から、或いはアプリケーション（ＡＰＰ）の中間ダウンロードサーバーから暗号文（ＣＲＹ）及びダイジェスト（ＦＩＮ２）を直接ロードする。この場合、先の２つの変形形態とは異なり、実行環境（ＡＥＥ）はもはやダイジェスト（ＦＩＮ２）を計算することはせず、ダイジェストは、制御サーバーＣＳＥ又はアプリケーション（ＡＰＰ）の中間ダウンロードサーバー等、外部ユニットにより計算される。
【００６２】
図３ｃに示すような暗号文（ＣＲＹ）の確認後のアプリケーション（ＡＰＰ）の実行プロセスは、図１ｃ及び図２ｃに示した先の２つの形態と同じようにして行われる。
【００６３】
携帯電話にインストールされたＪａｖａ(登録商標)アプリケーションについて現在定義されているような実行環境（ＡＥＥ）の変更を全く要求しないこと、即ち既存の規格の変更が必要ではないことがこの第三の実施形態の長所であるため、第三の実施形態が好ましいことがある。
【００６４】
更に、暗号文（ＣＲＹ）の確認プロセスとアプリケーションのインストールプロセスは完全に独立しているとすると、２つの暗号文が同じダイジェストを使うことを求める第一の変形形態の制約はなくなる。
【００６５】
アプリケーション上で計算されるダイジェストをカスタム化するための１つの可能性は、アプリケーションのコードを携帯装置にロードする前に、各携帯装置毎に異なるデータをこのアプリケーションのコードに付加することである。こうすることにより、携帯装置の実行環境によりダイジェストが計算された時、このダイジェストはユニークになり、別の携帯装置に対し用いることはできない。もちろん、暗号文はアプリケーションの元のデータ及びこのユニークなデータを基にして制御サーバーによって計算される。
【００６６】
本発明の一変形形態では、携帯装置を有料テレビデコーダ又はコンピュータ等の非携帯装置に置き換えることができる。アプリケーションはサーバーから通信ネットワークを経由して装置内にダウンロードすることができる。アプリケーションに関連付けられた暗号文はセキュリティモジュール内に保存され、実行開始時、或いはアプリケーションの毎回の起動時に確認される。この確認の結果によりセキュリティモジュール内のリソースが開放又はロックされ、アプリケーションの動作が条件付けられる。
【図面の簡単な説明】
【００６７】
【図１ａ】図１ａは、アプリケーションの実行環境を経由して暗号文が送信される第一の実施形態によるアプリケーションのインストールプロセスを示すブロック線図である。
【図１ｂ】図１ｂは、図１ａの実施形態での暗号文の確認プロセスを示す図である。
【図１ｃ】図１ｃは、図１ａの実施形態での加入者モジュールのリソースを使用するアプリケーションの実行のプロセスを示す図である。
【図２ａ】図２ａは、アプリケーションだけがダウンロードされる第二の実施形態でのアプリケーションのインストールプロセスを示すブロック図である。
【図２ｂ】図２ｂは、図２ａの実施形態での制御サーバーに対しアプリケーションが暗号文を要求する確認プロセスを示す図である。
【図２ｃ】図２ｃは、図２ａの実施形態での加入者モジュールのリソースを使用するアプリケーションの実行のプロセスを示す図である。
【図３ａ】図３ａは、アプリケーションだけがダウンロードされる第三の実施形態でのアプリケーションのインストールプロセスを示すブロック図である。
【図３ｂ】図３ｂは、図３ａの実施形態での制御サーバーに対しアプリケーションが暗号文及びアプリケーションのダイジェストを要求する確認プロセスを示す図である。
【図３ｃ】図３ｃは、図３ａの実施形態での加入者モジュールのリソースを使用するアプリケーションの実行のプロセスを示す図である。
【図４】図４は暗号文の例の構造を示す図である。
【符号の説明】
【００６８】
ＡＥＥ    実行環境
ＡＰＰ    アプリケーション
ＣＢ    携帯装置
ＣＦ    確認
ＣＭＤ    コマンド
ＣＲＹ    暗号文
ＣＳＥ    制御サーバー
ＦＡ    アプリケーションプロバイダ
ＦＩＮ１、ＦＩＮ２    ダイジェスト
ＩＤ    識別
ＮＥＴ    ネットワーク
ＲＥＳ    リソース
ＲＳＰ    応答
ＳＩＭ    加入者モジュール
【図１ａ】
2007519308.tif 000003
【図１ｂ】
2007519308.tif 000004
【図１ｃ】
2007519308.tif 000005
【図２ａ】
2007519308.tif 000006
【図２ｂ】
2007519308.tif 000007
【図２ｃ】
2007519308.tif 000008
【図３ａ】
2007519308.tif 000009
【図３ｂ】
2007519308.tif 000010
【図３ｃ】
2007519308.tif 000011
【図４】
2007519308.tif 000012
【国際調査報告】
2007519308.tif 000013
2007519308.tif 000014
2007519308.tif 000015
2007519308.tif 000016